(57)【要約】布地物品処理組成物であって、ａ）親油性流体を、好ましくは前記布地物品処理組成物の約７０重量％〜約９９．９９重量％と、ｂ）親油性流体の汚れ除去効果を向上させることができる、及び／又は親油性流体中に水を懸濁させることができる界面活性剤成分を、好ましくは前記布地物品処理組成物の約０．００１重量％〜約１０重量％と、ｃ）前記組成物による汚れ除去を更に向上させることができる非シリコーン添加剤を、好ましくは前記布地物品処理組成物の約０．００１重量％〜約１０重量％と、ｄ）任意選択的に、極性溶媒と、ｅ）任意選択的に、他の洗浄補助剤とを含み、前記布地物品処理組成物が親油性流体中に水を懸濁させることができる、布地物品処理組成物。【特許請求の範囲】
【請求項１】
布地物品処理組成物であって、
ａ）親油性流体を、好ましくは前記布地物品処理組成物の約７０重量％〜約９９．９９重量％と、
ｂ）親油性流体の汚れ除去効果を向上させることができる、及び／又は親油性流体中に水を懸濁させることができる界面活性剤成分を、好ましくは前記布地物品処理組成物の約０．００１重量％〜約１０重量％と、
ｃ）前記組成物による汚れ除去を更に向上させることができる非シリコーン添加剤を、好ましくは前記布地物品処理組成物の約０．００１重量％〜約１０重量％と、
ｄ）任意選択的に、極性溶媒と、
ｅ）任意選択的に、他の洗浄補助剤と
を含み、前記布地物品処理組成物が親油性流体中に水を懸濁させることができる、布地物品処理組成物。
【請求項２】
前記（ｂ）界面活性剤成分が、シロキサンをベースにした界面活性剤、陰イオン性、陽イオン性、非イオン性、双性イオン界面活性剤から成る群から選択される非シリコーン界面活性剤、有機スルホサクシネート、ベタイン、及びこれらの混合物から成る群から選択される界面活性剤を含む、請求項１に記載の布地物品処理組成物。
【請求項３】
前記界面活性剤成分が、次式を有するポリエーテルシロキサンを含むシロキサンをベースにした界面活性剤を含む、請求項２に記載の布地物品処理組成物であって、
ＭａＤｂＤ’ｃＤ”ｄＭ’２−ａ
式中、ａは０〜２であり、ｂは０〜１０００であり、ｃは０〜５０であり、ｄは０〜５０であり、但しａ＋ｃ＋ｄは少なくとも１であり、
ＭはＲ１３−ｅＸｅＳｉＯ１／２であり、式中、Ｒ１は独立してＨ、又は一価の炭化水素基であり、Ｘはヒドロキシル基であり、ｅは０又は１であり、
Ｍ’はＲ２３ＳｉＯ１／２であり、式中、Ｒ２は、独立してＨ、一価の炭化水素基、又は（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、但し少なくとも１つのＲ２が（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、式中、Ｒ３は独立してＨ、一価の炭化水素基又はアルコキシ基であり、ｆは１〜１０であり、ｇは０又は１であり、ｈは１〜５０であり、ｉは０〜５０であり、ｊは０〜５０であり、ｋは４〜８であり、
ＤはＲ４２ＳｉＯ２／２であり、式中、Ｒ４は独立してＨ又は一価の炭化水素基であり、
Ｄ’はＲ５２ＳｉＯ２／２であり、式中、Ｒ５は独立してＲ２であり、但し少なくとも１つのＲ５が（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、式中、Ｒ３は独立してＨ、一価の炭化水素基又はアルコキシ基であり、ｆは１〜１０であり、ｇは０又は１であり、ｈは１〜５０であり、ｉは０〜５０であり、ｊは０〜５０であり、ｋは４〜８であり、
Ｄ”はＲ６２ＳｉＯ２／２であり、式中、Ｒ６は独立してＨ、一価の炭化水素基又は（ＣＨ２）ｌ（Ｃ６Ｈ４）ｍ（Ａ）ｎ−［（Ｌ）ｏ−（Ａ’）ｐ−］ｑ−（Ｌ’）ｒＺ（Ｇ）ｓであり、式中、ｌは１〜１０であり、ｍは０又は１であり、ｎは０〜５であり、ｏは０〜３であり、ｐは０又は１であり、ｑは０〜１０であり、ｒは０〜３であり、ｓは０〜３であり、Ｃ６Ｈ４はＣ１〜１０アルキル又はアルケニルで置換されていないか又は置換されており、Ａ及びＡ’はそれぞれ独立して連結部分であって、エステル、ケト、エーテル、チオ、アミド、アミノ、Ｃ１〜４フルオロアルキル、Ｃ１〜４フルオロアルケニル、分枝又は直鎖ポリアルキレンオキシド、ホスフェート、スルホニル、サルフェート、アンモニウム、及びこれらの混合物を表し、Ｌ及びＬ’はそれぞれ独立して非置換又は置換の、Ｃ１〜３０直鎖又は分枝アルキル又はアルケニル又はアリールであり、Ｚは水素、カルボン酸、ヒドロキシ、ホスフェート、ホスフェートエステル、スルホニル、スルホネート、サルフェート、分枝又は直鎖ポリアルキレンオキシド、ニトリル、グリセリル、Ｃ１〜３０アルキル又はアルケニルで置換されていない又は置換されているアリール、Ｃ１〜１０アルキル又はアルケニル又はアンモニウムで置換されていない又は置換されている炭水化物であり、ＧはＨ＋、Ｎａ＋、Ｌｉ＋、Ｋ＋、ＮＨ４＋、Ｃａ＋２、Ｍｇ＋２、Ｃｌ−、Ｂｒ−、Ｉ−、メシラート又はトシラートなどの陰イオン又は陽イオンである。
【請求項４】
前記有機スルホサクシネート界面活性剤が、ジアルキルスルホサクシネートを含み、前記アルキル鎖が約Ｃ６〜約Ｃ２０である、請求項２に記載の布地物品処理組成物。
【請求項５】
前記非シリコーン添加剤（ｃ）が四級界面活性剤を含む窒素含有有機物質を含み、好ましくは、前記四級界面活性剤が全炭素数２０〜５０の疎水性四級化合物を含み、更に好ましくは、前記四級界面活性剤がアークワッド（Arquad）２Ｃ−７５、バリソフト（Varisoft）２２２、バリソフト１１０及び／又はバーダック（Bardac）２２を含み、及び／又は前記非シリコーン添加剤（ｃ）がベタイン及び／又は双性イオン界面活性剤を含み、及び／又は前記非シリコーン添加剤（ｃ）が窒素含有有機物質を含み、好ましくは、前記窒素含有有機物質が一級アミン、二級アミン、三級アミン、ジアミン、トリアミン、エトキシル化アミン、アミンオキシド、アミド、ベタイン、四級アンモニウム塩、及びこれらの混合物から成る群から選択され、好ましくは、前記窒素含有有機物質がアルキルアミンを含み、更に好ましくは、前記窒素含有有機物質がドデシルアミン、ステアリルアミン、オレイルアミン及びこれらの混合物から成る群から選択される、請求項１に記載の布地物品処理組成物。
【請求項６】
前記極性溶媒が水を含む、請求項１に記載の布地物品処理組成物。
【請求項７】
前記組成物が、ビルダー、追加の界面活性剤、乳化剤、酵素、漂白活性化剤、漂白触媒、漂白促進剤、漂白剤、アルカリ性供給源、抗菌剤、着色剤、香料、ライム石鹸分散剤、臭気制御剤、臭気中和剤、ポリマー移染抑制剤、結晶成長阻害剤、光漂白剤、重金属イオン封鎖剤、変色防止剤、抗微生物剤、酸化防止剤、再付着防止剤、汚れ放出ポリマー、電解質、ｐＨ調整剤、増粘剤、研磨剤、二価イオン、金属イオン塩、酵素安定化剤、腐食防止剤、ジアミン、泡安定化ポリマー、溶媒、加工助剤、布地柔軟化剤又は活性物質、サイズ剤、蛍光増白剤、ヒドロトロープ及びこれらの混合物から成る群から選択される洗浄補助剤を更に含む、請求項１に記載の布地物品処理組成物。
【請求項８】
前記組成物が、
ａ）デカメチルシクロペンタシロキサンを前記布地物品処理組成物の約７０重量％〜約９９．９９重量％と、
ｂ）親油性流体の汚れ除去効果を向上させることができる、及び／又は親油性流体中に水を懸濁させることができる界面活性剤成分を前記布地物品処理組成物の約０．０１重量％〜約１０重量％と、
ｃ）前記組成物による汚れ除去を更に向上させることができる非シリコーン添加剤を前記布地物品処理組成物の約０．０１重量％〜約１０重量％と、
ｄ）任意選択的に、極性溶媒を前記布地物品処理組成物の約０．００１重量％〜約１０重量％と、
ｅ）任意選択的に、他の洗浄補助剤を前記布地物品処理組成物の約０．０１重量％〜約１０重量％と
を含み、前記組成物が親油性流体中に水を懸濁させることができる、請求項１〜７のいずれか一項に記載の布地物品処理組成物。
【請求項９】
親油性流体と混合される場合、請求項１〜８のいずれか一項に記載の、布地物品処理組成物を生成する消費可能な洗剤組成物であって、前記消費可能な洗剤組成物が、
ａ）親油性流体の汚れ除去効果を向上させることができる、及び／又は親油性流体中に水を懸濁させることができる前記界面活性剤成分を、好ましくは前記洗剤組成物の約１重量％〜約９９重量％と、
ｂ）前記組成物による汚れ除去を更に向上させることができる非シリコーン添加剤を、好ましくは前記洗剤組成物の約１重量％〜約９９重量％と、
ｃ）任意選択的に、極性溶媒を、好ましくは前記洗剤組成物の約１重量％〜約９０重量％と、
ｄ）任意選択的に、他の洗浄補助剤と、
ｅ）任意選択的に、加工助剤と
を含み、前記組成物が親油性流体中に水を懸濁させることができる、消費可能な洗剤組成物。
【請求項１０】
前記界面活性剤成分が、シロキサンをベースにした界面活性剤、陰イオン性界面活性剤、陽イオン性界面活性剤、ベタイン又は双性イオン界面活性剤、及びこれらの混合物から成る群から選択される界面活性剤を含む、請求項９に記載の洗剤組成物。
【請求項１１】
前記組成物が、１００°Ｆ（３８℃）より大きい、好ましくは１４０°Ｆ（６０℃）より大きい引火点を有する、請求項９に記載の洗剤組成物。
【請求項１２】
消費可能な洗剤組成物からの布地物品処理組成物の調製方法であって、請求項９に記載の消費可能な洗剤組成物を別個の親油性流体と混合し、布地処理組成物を形成する工程を含む方法。
【請求項１３】
処理を必要とする布地物品を洗濯する方法であって、
ａ）請求項９に記載の消費可能な洗剤組成物を別個の親油性流体と混合し、布地物品処理組成物を形成する工程と、前記布地物品が処理されるように、前記布地物品を段階ａ）からの前記布地物品処理組成物と接触させる工程とを含む方法。
【発明の詳細な説明】
【技術分野】
【０００１】
本発明は、布地物品、特に衣服、リネン類及びカーテンの物品を処理する組成物に関し、ここで組成物は、布地物品からの汚れの洗浄、及び／又は布地物品のケア、及び／又は布地物品の処理の改善を提供すると同時に、特に、従来の布地物品処理組成物と比較して、水に敏感な物品に対し優れた衣類ケアを提供する。
【背景技術】
【０００２】
布地物品の洗浄に関して、現在、消費者は慣用的な洗濯洗浄又はドライクリーニングの選択を有する。
【０００３】
慣用的な洗濯洗浄は、比較的多量の水により、典型的には、消費者の家又はコインランドリーのような専用の場所で洗濯機において行われる。洗濯機及び洗濯用洗剤は非常に高性能なものとなったが、慣用的な洗濯プロセスでは、まだ、布地物品は移染する可能性、及び縮む可能性に曝される。消費者により使用される布地物品の相当の部分は、慣用的な洗濯プロセスにおける洗浄に好適ではない。「洗濯機で安全」と考えられる布地物品でさえも、洗濯プロセスから多くのシワが生じ、アイロンがけを必要とすることが多い。
【０００４】
ドライクリーニングプロセスは、洗浄用非水性溶媒類に依存する。水を回避することにより、これらのプロセスは、縮みや皺が生じる可能性を最小限にする。しかし、汚れの洗浄、特に、水をベースにした、及びアルコールをベースにした汚れの洗浄は、これらのプロセスでは非常に制限される。典型的には、ドライクリーニング屋は、このような汚れをドライクリーニングプロセスの前に手で除去する。これらの方法は複雑であり、見つかった様々なしみに対処する広範囲の組成物を必要とし、非常に大きい労働力を必要とし、処理される物品に局部的な損傷を与える結果となることが多い。
【発明の開示】
【発明が解決しようとする課題】
【０００５】
従って、商業的洗濯で、ドライクリーニングで、及び家庭で、同時に様々な汚れに対して許容できる洗浄を提供するが、広範囲の布地物品に対して安全なままである布地物品処理組成物に対する未だ対処されていない要求がある。
【課題を解決するための手段】
【０００６】
本発明は、布地物品からの汚れの洗浄、及び／又は布地物品のケア、及び／又は布地物品の処理の改善を示す組成物を提供する。これらの利益は、本発明の組成物によって処理される布地物品に送達されるとともに、優れた布地ケア特性を維持する可能性がある。
【０００７】
本発明の一態様では、布地物品処理組成物は、
ａ）親油性流体と、
ｂ）親油性流体の汚れ除去効果を向上させることができる、及び／又は親油性流体中に水を懸濁させることができる界面活性剤成分と、
ｃ）組成物による汚れ除去を更に向上させることができる非シリコーン添加剤と、
ｄ）任意選択的に、水と、
ｅ）任意選択的に、他の洗浄補助剤と、
ｆ）任意選択的に、加工助剤と
を含み、組成物が親油性流体に水を懸濁させることができる、布地物品処理組成物が提供される。
【０００８】
本発明の別の態様では、別個の親油性流体で希釈すると、前述の布地物品処理組成物が達成されるように、消費可能な洗剤組成物が提供される。本明細書で使用される場合、「別個の親油性流体」とは、最初に配合される洗剤組成物の一部ではない親油性流体を意味する。
【０００９】
本発明の更に別の態様では、消費可能な洗剤組成物は、
ａ）親油性流体の汚れ除去効果を向上させることができる、及び／又は親油性流体中に水を懸濁させることができる界面活性剤成分と、
ｂ）組成物による汚れ除去を更に向上させることができる非シリコーン添加剤と、
ｃ）任意選択的に、水と、
ｄ）任意選択的に、他の洗浄補助剤と、
ｅ）任意選択的に、親油性流体と、
ｆ）任意選択的に、加工助剤と
を含み、組成物が親油性流体に水を懸濁させることができる、消費可能な洗剤組成物が提供される。
【００１０】
本発明の更に別の態様では、別個の親油性流体で希釈する（即ち、混合する）ことにより、本発明の消費可能な洗剤組成物から、本発明の布地物品処理組成物を調製する方法が提供される。この方法は、消費可能な洗剤組成物と別個の親油性流体との混合物を攪拌する工程を含んでもよい。
【００１１】
本発明の更に別の態様では、処理を必要とする布地物品を処理する方法であって、
ａ）本発明の消費可能な洗剤組成物を別個の親油性流体と混合し、布地物品処理組成物を形成する工程と、
ｂ）布地物品が処理されるように、布地物品を段階ａ）で形成された布地物品処理組成物と接触させる工程と
を含む方法が提供される。
【００１２】
本発明の更に別の態様では、処理を必要とする布地物品を処理する方法であって、
ａ）布地物品を本発明の別個の親油性流体と接触させる工程と、
ｂ）布地物品を本発明の洗剤組成物と接触させる工程と、
ｃ）任意選択的に、続いて布地物品を攪拌する工程と
を含む方法が提供される。段階ａ）及びｂ）は、任意の順番で、及び／又は同時に起こることができる。
【００１３】
本発明の更に他の態様では、本発明の方法によって処理される布地物品が提供される。
【００１４】
本発明の更に他の態様では、本発明の方法によって製造される布地物品処理組成物が提供される。
【００１５】
これら及び他の態様、特徴及び利点は、以下の詳細な説明及び添付の請求項を読むことにより、当業者には明らかになる。本明細書における全ての割合、比率及び部数は、特に指定のない限り重量を基準とする。特に指定しない限り、温度は全て摂氏（℃）による。全ての測定値は、特に指定のない限りＳＩ単位による。全ての引用文献は、関連部分が参考として本明細書に組み込まれる。
【発明を実施するための最良の形態】
【００１６】
定義
本明細書で使用される用語「布地物品」とは、慣用的な洗濯プロセス又はドライクリーニングプロセスで慣例的に洗浄される任意の物品を意味するものとする。従って、この用語は、衣服、リネン類、カーテン、及び衣服付属品を包含する。この用語は、トートバッグ、家具カバー、防水布など、全体的に又は部分的に布で作られた他の品目をも包含する。
【００１７】
本明細書で使用される用語「親油性流体」とは、以下でより詳細に記載されるように、皮脂を除去することが可能な任意の非水性流体を意味するものとする。
【００１８】
本明細書で使用される用語「布地物品処理組成物」とは、洗浄される布地物品と直接接触する、洗浄及び／又はケア添加剤を含有する、任意の親油性流体含有組成物を意味するものとする。「布地物品処理組成物」の用語は、コンディショニング及びサイジングなどの洗浄以外の用途を包含すると理解されるべきである。更に、上述の界面活性剤以外の追加の界面活性剤、及び漂白剤などの任意選択的な洗浄補助剤が、「布地物品処理組成物」に添加されてもよい。即ち、洗浄補助剤が、親油性流体と任意選択的に組み合わされてもよい。これらの任意選択的な洗浄補助剤を、以下に更に詳細に説明する。このような洗浄補助剤は、布地物品処理組成物の約０．０１重量％〜約１０重量％の濃度で本発明の布地物品処理組成物中に存在してもよい。
【００１９】
用語「汚れ」とは、除去されることが望まれる布地物品上の望ましくない任意の物質を意味する。用語「水をベースにした」又は「親水性」汚れとは、汚れが最初に布地物品と接触する時、汚れが水を含んだか、又は汚れが布地物品上で相当な分量の水を保持することを意味する。水をベースにした汚れの例には、限定的ではないが、飲み物、多くの食物汚れ、水溶性染料、体液、例えば汗、尿、又は血液など、戸外の汚れ、例えば草のしみ、及び泥などが挙げられる。
【００２０】
用語「親油性流体中に水を懸濁させることができる」とは、成分を最初に混合した後、少なくとも５分間静置した時に、水が肉眼で懸濁、溶媒和、又は乳化されたままであるように、物質が水を懸濁、溶媒和、及び／又は乳化できることを意味する。本発明の組成物の幾つかの実施例では、組成物は、本質的にコロイド状であってもよいし、及び／又は乳濁性に見えてもよい。本発明の組成物の他の実施例では、組成物は透明でもよい。
【００２１】
用語「親油性流体に不溶性」とは、親油性流体に添加された時に、物質が、添加後５分以内に親油性流体から物理的に分離（即ち、沈殿、凝縮、浮揚）し、それに対して「親油性流体に可溶性」である物質は、添加後５分以内に親油性流体から物理的に分離しないことを意味する。
【００２２】
用語「消費可能な洗剤組成物」とは、別個の親油性流体と組み合わせると、その結果、本発明の布地物品処理組成物が得られる、任意の洗浄性組成物を意味する。
【００２３】
用語「加工助剤」とは、消費可能な洗剤組成物を親油性流体との配合、安定性、及び／又は希釈に更に好適にし、本発明の布地物品処理組成物を形成する任意の物質のことをいう。
【００２４】
本明細書で使用される場合、用語「混合」とは、均一な混合物、又は安定な分散体又は懸濁液が形成されるように、２種類以上の物質（即ち、より具体的には、本発明の別個の親油性流体、及び洗剤組成物）を組み合わせることを意味する。好適な混合プロセスは、当該技術分野において既知である。好適な混合プロセスの非限定的な例には、攪拌混合プロセス、及び静的混合プロセスなどが挙げられる。
【００２５】
本発明の組成物
本発明は、布地物品からの汚れの洗浄（即ち、汚れの除去、及び／又は低減）、及び／又は布地物品のケア、及び／又は布地物品の処理の改善を示す組成物を提供する。これらの効果は、本発明の組成物によって処理される布地物品に送達されるとともに、優れた布地ケア特性を維持し得る。
【００２６】
（親油性流体）
本明細書の親油性流体は、布地物品処理機器の運転条件下で、換言すれば、本発明の布地物品の処理中に、液体相が存在するものである。一般に、このような親油性流体は、周囲温度及び圧力で完全に液体であることができるか、容易に溶解される固体、例えば、約０℃〜約６０℃の範囲の温度で液体になるものであることができるか、又は周囲温度及び圧力、例えば２５℃及び１ａｔｍ．（０．１ＭＰａ）の圧力で、液体相及び蒸気相の混合物を含むことができる。従って、親油性流体は、二酸化炭素のような圧縮性気体ではない。
【００２７】
本明細書の親油性流体は、既知の慣用的なドライクリーニング流体の性質と等しい、又は好ましくはそれを上回る不燃性を有するか又は比較的高い引火点及び／若しくは低ＶＯＣ（揮発性有機化合物）性を有することが好ましく、これらの用語はドライクリーニング産業で使用されるようなその慣用的な意味を有する。
【００２８】
更に、本明細書の好適な親油性流体は、流動し易く、粘性ではない。
【００２９】
一般に、本明細書の親油性流体は、以下の試験の中で定義されるように、皮脂又は身体の汚れを少なくとも部分的に溶解できる流体であることが必要である。親油性流体の混合物もまた好適であり、以下の親油性流体試験の要件が満たされることを条件として、親油性流体は、任意の分率のドライクリーニング溶媒、特にフッ素化溶媒、又は過フッ素化アミンを含む、より新しい種類のものを含むことができる。パーフルオロトリブチルアミンなどの幾つかの過フッ化アミン類は、親油性流体として使用するには適さないが、親油性流体含有組成物中に存在し得る多くの補助剤の１つとして存在してよい。
【００３０】
他の好適な親油性流体には、以下に限定されないが、ジオール溶媒系、例えば、Ｃ６−若しくはＣ８−などの高級ジオール、又は更に高級のジオール類、環状及び非環状型の両方を含む有機シリコーン溶媒類等、並びにこれらの混合物が挙げられる。
【００３１】
本発明の組成物の主成分として組み込むのに好適な非水性親油性流体の好ましい群には、低揮発性非フッ素化有機物、シリコーン、特にアミノ官能性シリコーン以外のもの、及びこれらの混合物が挙げられる。低揮発性非フッ素化有機物類は、例えばＯＬＥＡＮ（登録商標）及び他のポリオールエステル類、又は特定の比較的非揮発性の生分解性中鎖分枝状石油留分を含む。
【００３２】
本発明の組成物の主成分として組み込むのに好適な非水性親油性流体の別の好ましい群には、以下に限定されないが、グリコールエーテル、例えば、プロピレングリコールメチルエーテル、プロピレングリコールｎ−プロピルエーテル、プロピレングリコールｔ−ブチルエーテル、プロピレングリコールｎ−ブチルエーテル、ジプロピレングリコールメチルエーテル、ジプロピレングリコールｎ−プロピルエーテル、ジプロピレングリコールｔ−ブチルエーテル、ジプロピレングリコールｎ−ブチルエーテル、トリプロピレングリコールメチルエーテル、トリプロピレングリコールｎ−プロピルエーテル、トリプロピレングリコールｔ−ブチルエーテル、トリプロピレングリコールｎ−ブチルエーテルが挙げられる。組成物の主成分として、例えば、５０％を超過して用いられる好適なシリコーンには、「Ｄ５」と称されることもあるシクロペンタシロキサン、及び／又はほぼ同様の揮発性を有し、任意選択的に他の適合性のあるシリコーンにより補完される直鎖類似体が挙げられる。好適なシリコーン類は、文献で周知であり（例えば、カーク・オスマー（Kirk Othmer）の工業化学百科事典（Encyclopedia of Chemical Technology）を参照されたい）、ゼネラル・エレクトリック（General Electric）、東芝シリコーン（株）、バイエル（Bayer）、及びダウ・コーニング（Dow Corning）を含む多数の商業的供給源から入手可能である。他の好適な親油性流体が、プロクター・アンド・ギャンブル社（Procter & Gamble）、又はダウ・ケミカル（Dow Chemical）及び他の供給元から市販されている。
【００３３】
（親油性流体の条件及び親油性流体試験（ＬＦ試験））
ドライクリーニング流体に対する既知の要求（例えば、引火点等）を満たすことができ、以下の試験方法に示されるように少なくとも部分的に皮脂を溶解することができるいかなる非水性流体も、本明細書の親油性流体として好適である。一般指針として、パーフルオロブチルアミン（フロリナート（Fluorinert）ＦＣ−４３（登録商標））はそのままで（補助剤と共に、又は補助剤なしで）標準物質であり、定義上は本明細書で使用される親油性流体として好適でない（本質的に非溶媒である）が、一方でシクロペンタシロキサンは好適な皮脂溶解特性を有し、皮脂を溶解させる。
【００３４】
以下は親油性流体として使用する他の物質、例えば、他の低粘度、自由流動性シリコーンの調査及び適格性認定方法である。この方法は皮脂の汚れのモデルとして、市販のクリスコ（Crisco）（登録商標）キャノーラ油、オレイン酸（純度９５％、シグマ・オードリッチ社（Sigma Aldrich Co.）より入手可能）、及びスクアラン（純度９９％、Ｊ．Ｔ．ベーカー（J.T. Baker）より入手可能）を用いる。試験材料は、実質的に無水であり、評価中いかなる添加された補助剤又は他の材料も無しでなければならない。
【００３５】
３本のバイアル瓶を用意し、各バイアル瓶に一種類の親油性汚れを入れる。第一のバイアル瓶にキャノーラ油１．０ｇを入れ、第二のバイアル瓶にオレイン酸（９５％）１．０ｇを入れ、最後の第三のバイアル瓶にスクアラン（９９．９％）１．０ｇを入れる。各バイアル瓶に、親油性を試験する流体を１ｇ入れる。室温で個別に混合し、標準的な攪拌混合機において、最大設定で２０秒間、試験される親油性汚れ及び流体を含有する各バイアル瓶を加圧する。バイアル瓶を作業台に載置し、室温及び室内圧力において１５分間安定させる。静止した時に、親油性汚れの入ったいずれかのバイアル瓶に透明で単一の相が形成された場合は、その非水性流体は、本発明による「親油性流体」として使用するに好適であると見なされる。しかし、３本のバイアル瓶全部に２つ以上の分離相が形成されている場合は、油相中に溶解される非水性流体の量が、非水性流体が適切なものとして拒絶する又は容認する前に、更に決定される必要がある。
【００３６】
このような場合には、注射器により、各バイアル瓶の各層から２００マイクロリットルのサンプルを注意深く抽出する。３つのモデル汚れ各々及び試験される流体の補正サンプルの保持時間の決定後、注射器で抜き取った層のサンプルをＧＣオートサンプラーバイアル瓶に入れ、慣用的なＧＣ分析にかける。オレイン酸層、キャノーラ油層又はスクアラン層からなる層のいずれか一つに、試験流体が１％を超えて、好ましくはより多く、存在することがＧＣで見つかった場合には、その試験流体も親油性流体として使用するのに適切であると見なされる。必要であれば、方法はヘプタコサフルオロトリブチルアミン、つまりフロリナート（Fluorinert）ＦＣ−４３（失敗）及びシクロペンタシロキサン（合格）を使用して更に補正することができる。好適なＧＣは、スプリット／スプリットレス注入器及びＦＩＤを装備したヒューレット・パッカード（Hewlett Packard）のガスクロマトグラフＨＰ５８９０シリーズＩＩである。親油性流体存在量を決定するのに使用する好適なカラムは、Ｊ＆Ｗサイエンティフィック社（J&W Scientific）の毛管カラムＤＢ−１ＨＴ（３０メートル、内径０．２５ｍｍ、フィルム厚０．１ｕｍ、カタログ番号１２２１１３１）である。ＧＣは以下の条件下で操作されるのが好適である。
【００３７】
キャリアガス：水素
カラムヘッド圧：９ｐｓｉ（０．０６ＭＰａ）
流速：カラム流量＠〜１．５ｍｌ／ｍｉｎ
スプリットベント＠〜２５０〜５００ｍｌ／ｍｉｎ
セプタムパージ＠１ｍｌ／ｍｉｎ
注入：ＨＰ７６７３オートサンプラー、１０ｕｌ注射器、１ｕｌ注入
注入器温度：３５０℃
検出器温度：３８０℃
オーブン温度プログラム：開始６０℃、１分保持
速度２５℃／分
最終３８０℃、３０分保持
本明細書で使用するのに好適な好ましい親油性流体は、優れた衣類を保護する特徴を有することに基づいて、使用のために更に適格であるとされる。衣類ケア特性試験は当該技術分野において周知であり、継ぎ目等、及び様々なボタンに使用される布地、糸及びゴムひもを含む幅広い範囲の衣類又は布地物品構成成分を使用して流体を適格とする試験を伴う。本明細書に用いるのに好ましい親油性流体は、優れた衣類ケア特性を有し、例えば、良好な収縮及び／又は布地ひだ寄せ特性を有し、プラスチックボタンに目立った損傷を与えない。例えばエチルラクテートのような、皮脂の除去において親油性流体として使用するのが適切である特定の物質は、ボタンを溶解する傾向があるために極めて好ましくなく、そのような物質が本発明の組成物中に使用される場合は、総合的な混合物が実質的にボタンに損傷を与えないように、水及び／又は他の溶媒と配合される。他の親油性流体、例えばＤ５は、衣類ケアの要件を極めて良く満たす。幾つかの好適な親油性流体は、付与された米国特許第５，８６５，８５２号、第５，９４２，００７号、第６，０４２，６１７号、第６，０４２，６１８号、第６，０５６，７８９号、第６，０５９，８４５号、及び第６，０６３，１３５号に見られるであろうが、これらは参考として本明細書に組み込まれる。
【００３８】
親油性流体には、直鎖及び環状ポリシロキサン、炭化水素及び塩素化炭化水素を挙げることができるが、本明細書で使用される親油性流体の定義によって明白に対象となっていないＰＥＲＣは例外とする。（特定的には、ＤＦ２０００及びＰＥＲＣを除外する。）より好ましいのは、直鎖及び環状ポリシロキサン、並びにグリコールエーテル、アセテートエステル、ラクテートエステル類の炭化水素である。好ましい親油性流体には、７６０ｍｍＨｇにおいて約２５０℃を下回る融点を有する環状シロキサンが挙げられる。本発明で使用する特に好ましい環状シロキサンは、オクタメチルシクロテトラシロキサン、デカメチルシクロペンタシロキサン、及びドデカメチルシクロヘキサシロキサンである。好ましくは、環状シロキサンはデカメチルシクロペンタシロキサン（Ｄ５、ペンタマー）を含み、実質的にオクタメチルシクロテトラシロキサン（テトラマー）及びドデカメチルシクロヘキサシロキサン（ヘキサマー）を含まない。
【００３９】
しかし、有用な環状シロキサン混合物は、好ましい環状シロキサンの他に、少量の他の環状シロキサンも含有する可能性があることを理解すべきであり、このような他の環状シロキサンには、オクタメチルシクロテトラシロキサン及びヘキサメチルシクロトリシロキサン、又はテトラデカメチルシクロヘプタシロキサンのような更に高級な環状化合物が挙げられる。一般的に、有用な環状シロキサン混合物内のこれらの他の環状シロキサン量は、混合物全重量の約１０重量％未満である。環状シロキサン混合物の工業規格では、このような混合物は混合物の約１重量％未満のオクタメチルシクロテトラシロキサンを含む。
【００４０】
したがって、本発明の親油性流体は、親油性流体の好ましくは約５０重量％を超える、より好ましくは約７５重量％を超える、更により好ましくは少なくとも約９０重量％、最も好ましくは少なくとも９５重量％のデカメチルシクロペンタシロキサンを含む。あるいは、親油性流体は、混合物の約５０重量％を超える、好ましくは約７５重量％を超える、より好ましくは少なくとも約９０重量％、最も好ましくは少なくとも９５重量％〜約１００重量％のデカメチルシクロペンタシロキサン、及び混合物の約１０重量％未満、好ましくは約５重量％未満、より好ましくは約２重量％未満、更により好ましくは約１重量％未満、最も好ましくは約０．５重量％未満〜０重量％のオクタメチルシクロテトラシロキサン及び／又はドデカメチルシクロヘキサシロキサンを有する環状シロキサンの混合物であるシロキサンを含んでもよい。
【００４１】
親油性流体の濃度は、本発明の布地物品処理組成物中に存在する場合、好ましくは布地物品処理組成物の約７０重量％〜約９９．９９重量％、より好ましくは約９０重量％〜約９９．９重量％、更により好ましくは約９５重量％〜約９９．８重量％である。
【００４２】
親油性流体の濃度は、本発明の消費可能な洗剤組成物中に存在する場合、好ましくは消費可能な洗剤組成物の約０．１重量％〜約９０重量％、より好ましくは約０．５重量％〜約７５重量％、更により好ましくは約１重量％〜約５０重量％である。
【００４３】
（界面活性剤成分）
本発明の界面活性剤成分は、親油性流体中に水を懸濁させる、及び／又は親油性流体の汚れ除去効果を向上させることができる物質とすることができる。この物質は、親油性流体中に可溶性であってもよい。
【００４４】
一分類の物質は、シロキサンをベースにした界面活性剤（シロキサンをベースにした物質）を含むことができる。シロキサンをベースにしたこの用途の界面活性剤は、他の用途向けのシロキサンポリマーであってもよい。シロキサンをベースにした界面活性剤の重量平均分子量は、典型的には、５００〜２０，０００である。ポリ（ジメチルシロキサン）に由来するこのような物質は、当該技術分野で周知である。本発明では、このようなシロキサンをベースにした界面活性剤全てが好適であるとは限らないが、それは、これらが親油性流体自体によって提供される洗浄のレベルと比較して、改善された汚れの洗浄を提供しないためである。
【００４５】
シロキサンをベースにした好適な界面活性剤は、次式を有するポリエーテルシロキサンを含み、
ＭａＤｂＤ’ｃＤ”ｄＭ’２−ａ
式中、ａは０〜２であり、ｂは０〜１０００であり、ｃは０〜５０であり、ｄは０〜５０であり、但しａ＋ｃ＋ｄは少なくとも１であり、
ＭはＲ１３−ｅＸｅＳｉＯ１／２であり、式中、Ｒ１は独立してＨ、又は一価の炭化水素基であり、Ｘはヒドロキシル基であり、ｅは０又は１であり、
Ｍ’はＲ２３ＳｉＯ１／２であり、式中、Ｒ２は独立してＨ、一価の炭化水素基、又は（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、但し少なくとも１つのＲ２が（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、式中、Ｒ３は独立してＨ、一価の炭化水素基又はアルコキシ基であり、ｆは１〜１０であり、ｇは０又は１であり、ｈは１〜５０であり、ｉは０〜５０であり、ｊは０〜５０であり、ｋは４〜８であり、
ＤはＲ４２ＳｉＯ２／２であり、式中、Ｒ４は独立してＨ又は一価の炭化水素基であり、
Ｄ’はＲ５２ＳｉＯ２／２であり、式中、Ｒ５は独立してＲ２であり、但し少なくとも１つのＲ５が（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、式中、Ｒ３は独立してＨ、一価の炭化水素基又はアルコキシ基であり、ｆは１〜１０であり、ｇは０又は１であり、ｈは１〜５０であり、ｉは０〜５０であり、ｊは０〜５０であり、ｋは４〜８であり、
Ｄ”は、Ｒ６２ＳｉＯ２／２であり、式中、Ｒ６は独立してＨ、一価の炭化水素基又は（ＣＨ２）ｌ（Ｃ６Ｈ４）ｍ（Ａ）ｎ−［（Ｌ）ｏ−（Ａ’）ｐ−］ｑ−（Ｌ’）ｒＺ（Ｇ）ｓであり、式中、ｌは１〜１０であり、ｍは０又は１であり、ｎは０〜５であり、ｏは０〜３であり、ｐは０又は１であり、ｑは０〜１０であり、ｒは０〜３であり、ｓは０〜３であり、Ｃ６Ｈ４はＣ１〜１０アルキル又はアルケニルで置換されていないか又は置換されており、Ａ及びＡ’はそれぞれ独立して連結部分であって、エステル、ケト、エーテル、チオ、アミド、アミノ、Ｃ１〜４フルオロアルキル、Ｃ１〜４フルオロアルケニル、分枝又は直鎖ポリアルキレンオキシド、ホスフェート、スルホニル、サルフェート、アンモニウム、及びこれらの混合物を表し、Ｌ及びＬ’はそれぞれ独立して非置換又は置換の、Ｃ１〜３０直鎖又は分枝アルキル又はアルケニル又はアリールであり、Ｚは水素、カルボン酸、ヒドロキシ、ホスフェート、ホスフェートエステル、スルホニル、スルホネート、サルフェート、分枝又は直鎖ポリアルキレンオキシド、ニトリル、グリセリル、Ｃ１〜３０アルキル又はアルケニルで置換されていない又は置換されているアリール、Ｃ１〜１０アルキル又はアルケニル又はアンモニウムで置換されていない又は置換されている炭水化物であり、ＧはＨ＋、Ｎａ＋、Ｌｉ＋、Ｋ＋、ＮＨ４＋、Ｃａ＋２、Ｍｇ＋２、Ｃｌ−、Ｂｒ−、Ｉ−、メシラート又はトシラートなどの陰イオン又は陽イオンである。
【００４６】
シロキサンをベースにした上述の界面活性剤の種類の例は、ＥＰ１０４３４４３Ａ１、ＥＰ１０４１１８９、及びＰＣＴ国際公開特許ＷＯ０１／３４，７０６号（全てＧＥシリコーンズ（GE Silicones）に発行）、及び米国特許第５，６７６，７０５号、米国特許第５，６８３，９７７号、米国特許第５，６８３，４７３号、及びＥＰ１０９２８０３Ａ１（全てレバー・ブラザーズ（Lever Brothers）に発行）に見ることができる。
【００４７】
シロキサンをベースにした好適な界面活性剤の市販の非限定的な例は、ＴＳＦ  ４４４６（例えば、ゼネラル・エレクトリック・シリコーンズ（General Electric Silicones））、ＸＳ６９−Ｂ５４７６（例えば、ゼネラル・エレクトリック・シリコーンズ（General Electric Silicones））；ジェナミン（Jenamine）ＨＳＸ（例えば、デルコン（DelCon））及びＹ１２１４７（例えば、ＯＳｉスペシャルティーズ（Specialties））である。
【００４８】
界面活性剤成分に好適な第２の好ましい分類の物質は、本質的に有機物である。好ましい物質は、炭素原子が約６〜約２０の炭素鎖を有する、有機スルホサクシネート界面活性剤である。それぞれが炭素原子約６〜約２０の炭素鎖を有するジアルキル（dialkly）鎖を含有する有機スルホサクシネートが、最も好ましい。アリール又はアルキルアリールで、置換又は非置換の、分枝又は直鎖の、飽和又は不飽和基を含有する鎖も好ましい。
【００４９】
好適な有機スルホサクシネート界面活性剤の市販の非限定的な例は、エアゾール（Aerosol）ＯＴ及びエアゾール（Aerosol）ＴＲ−７０（例えば、サイテック（Cytec））の商品名で入手可能である。
【００５０】
界面活性剤成分は、本発明の布地物品処理組成物中に存在する場合、好ましくは布地物品処理組成物の約０．０１重量％〜約１０重量％、より好ましくは約０．０２重量％〜約５重量％、更により好ましくは約０．０５重量％〜約２重量％含まれる。
【００５１】
界面活性剤成分は、本発明の消費可能な洗剤組成物中に存在する場合、好ましくは消費可能な洗剤組成物の約１重量％〜約９９重量％、より好ましくは約２重量％〜約７５重量％、更により好ましくは約５重量％〜約６０重量％含まれる。
【００５２】
（非シリコーン添加剤）
好ましくは極性の高い及び／又は水素結合する先端基を含む、非シリコーン添加剤（即ち、Ｓｉ原子を含有しない物質）は、本発明の組成物による汚れ除去を更に向上させる。極性の高い及び／又は水素結合する先端基を含有する物質の例には、以下に限定されないが、アルコール、陽イオン性界面活性剤などの陽イオン性物質、四級界面活性剤、塩化アンモニウム（塩化アンモニウムの非限定的な例は、アクゾ・ノーベル（Akzo Nobel）から市販のアークワッド（Arquad）物質である）などの四級アンモニウム塩及び陽イオン性布地柔軟化活性物質、非イオン性界面活性剤（即ち、アルコールエトキシレート、ポリヒドロキシ脂肪酸アミド）などの非イオン性物質、ジェミニ界面活性剤、陰イオン性界面活性剤、双性イオン界面活性剤、カルボン酸、サルフェート、スルホネート、ホスフェート、ホスホネート、並びに窒素含有物質が挙げられる。一実施形態では、非シリコーン添加剤は、一級、二級、及び三級アミン、ジアミン、トリアミン、エトキシル化アミン、アミンオキシド、アミド、及びベタイン、及びこれらの混合物から成る群から選択される窒素含有物質を含み、ベタインの非限定的な例は、シェア・ケミカルズ（Scher Chemicals）から市販のシェアコタイン（Schercotaine）物質である。
【００５３】
別の実施形態では、アルキル鎖は、融点の低下を助ける可能性のある分岐を含有する。
【００５４】
更に別の実施形態では、約６〜約２２の炭素原子を含む一級アルキルアミンが使用される。特に好ましい一級アルキルアミンは、オレイルアミン（アーミン（Armeen）ＯＬＤの商品名でアクゾ（Akzo）から市販）、ドデシルアミン（アーミン（Armeen）１２Ｄの商品名でアクゾ（Akzo）から市販）、分枝Ｃ１６〜Ｃ２２アルキルアミン（プリミーニ（Primene）ＪＭ−Ｔの商品名でローム・アンド・ハース（Rohm & Haas）から市販）及びこれらの混合物である。
【００５５】
好適な陽イオン性物質には、四級界面活性剤を含んでもよく、これは四級アンモニウム化合物であってよい。市販の試剤には、ゴールドシュミット（Goldschmidt）製のバリソフト（Varisoft）物質が挙げられる。
【００５６】
追加の好適な陽イオン性物質には、慣用的な布地柔軟化活性物質を挙げてもよい。本発明の好適な布地柔軟化活性物質の非限定的な例は、以下のような大多数の化合物を含む：
ジエステル四級アンモニウム布地柔軟化活性化合物（ＤＥＱＡ）
（１）ＤＥＱＡの第一の種類は好ましくは、主要な活性物質として、次式の化合物を含み、
｛Ｒ４−ｍ−Ｎ＋−［（ＣＨ２）ｎ−Ｙ−Ｒ１］ｍ｝Ａ−
式中、各Ｒ置換基は水素、短鎖Ｃ１〜Ｃ６、好ましくはＣ１〜Ｃ３アルキル、又はヒドロキシアルキル基、例えば、メチル（最も好ましい）、エチル、プロピル、ヒドロキシエチルなど、ポリ（Ｃ２〜３アルコキシ）、好ましくはポリエトキシ基、ベンジル、又はこれらの混合物のいずれかであり、各ｍは２又は３であり、各ｎは１〜約４であり、各Ｙは−Ｏ−（Ｏ）Ｃ−、−Ｃ（Ｏ）−Ｏ−、−ＮＲ−Ｃ（Ｏ）−、又は−Ｃ（Ｏ）−ＮＲ−であり、各Ｒ１中の炭素の合計、及びＹが−Ｏ−（Ｏ）Ｃ−又は−ＮＲ−Ｃ（Ｏ）−である場合には、それに１を加えたものは、Ｃ１２〜Ｃ２２、好ましくはＣ１４〜Ｃ２０であり、各Ｒ１はヒドロカルビル、又は置換ヒドロカルビル基であり、Ａ−は柔軟剤と適合性のある任意の陰イオン、好ましくは塩化物、臭化物、メチルサルフェート、エチルサルフェート、サルフェート、及び硝酸であることができ、より好ましくは塩化物又はメチルサルフェートであることができる（本明細書で用いる場合、所与のＲ１基を含有する「柔軟化活性物質のパーセント」は、存在する全Ｒ１基内のこの所与のＲ１基のパーセントを基準にした全活性物質のパーセンテージを基準にする。）；
（２）第二の種類のＤＥＱＡ活性物質は、次の一般式を有し、
［Ｒ３Ｎ＋ＣＨ２ＣＨ（ＹＲ１）（ＣＨ２ＹＲ１）］Ａ−
式中、Ｙ、Ｒ、Ｒ１、及びＡ−の各々は、上記と同じ意味を有する。このような化合物には、次式を有するものが含まれ、
［ＣＨ３］３Ｎ（＋）［ＣＨ２ＣＨ（ＣＨ２Ｏ（Ｏ）ＣＲ１）Ｏ（Ｏ）ＣＲ１］Ｃｌ（−）
式中、各Ｒはメチル又はエチル基であって、好ましくは各Ｒ１はＣ１５〜Ｃ１９の範囲である；
（３）上述のＤＥＱＡ活性物質は、中和されたアミン柔軟化活性物質も含み、ここで少なくとも１つのＲ基は水素原子である。この種類の活性物質の非限定的な例は、（不飽和アルコイルオキシエチル）（不飽和アルキルアミドトリメチレン）メチルアミンの塩化物塩である。好適なアミン柔軟化活性物質の他の例は、１９９９年２月１１日に発行された、Ｋ．Ａ．グリム（Grimm）、Ｄ．Ｒ．ベーコン（Bacon）、Ｔ．トリン（Trinh）、Ｅ．Ｈ．ウォール（Wahl）、及びＨ．Ｂ．トーディル（Tordil）のＰＣＴ国際特許出願ＷＯ９９／０６５０９に開示されており、前記出願は参考として本明細書に組み込まれる；
（４）ポリ四級アンモニウム柔軟化活性物質一価より大きい正の四級アンモニウム電荷を有する布地柔軟化活性物質は、また、すすぎに添加される本発明の組成物に有用である。この種類の柔軟化活性物質の一例は、次式を有するものであり、
【化１】
2004535493.tif 000002
【００５７】
式中、各ＲはＨ又は短鎖Ｃ１〜Ｃ６、好ましくはＣ１〜Ｃ３アルキル、又はヒドロキシアルキル基、例えば、メチル（最も好ましい）、エチル、プロピル、ヒドロキシエチルなど、ベンジル、又は（Ｒ２Ｏ）２〜４Ｈであり、各Ｒ１はＣ６〜Ｃ２２、好ましくはＣ１４〜Ｃ２０ヒドロカルビル、又は置換ヒドロカルビル置換基、好ましくはＣ１０〜Ｃ２０アルキル又はアルケニル（多価不飽和アルキルを含む不飽和アルキル、「アルキレン」と称されることもある）、最も好ましくはＣ１２〜Ｃ１８アルキル又はアルケニルであり、各Ｒ２はＣ１〜６アルキレン基、好ましくはエチレン基であり、Ａ−は、以下のように定義される。次式を有する布地柔軟化活性物質：
【化２】
2004535493.tif 000003
【００５８】
式中、Ｒ１はオレイン酸から誘導され、ウィトコ社（Witco Company）から入手可能である；
（５）次式を有する柔軟化活性物質：
Ｒ４−ｍ−Ｎ（＋）−Ｒ１ｍＡ−
式中、各ｍは２又は３であり、各Ｒ１はＣ６〜Ｃ２２、好ましくはＣ１４〜Ｃ２０であるが、１つ以下は約Ｃ１２未満であり、他は少なくとも約１６、ヒドロカルビル、又は置換ヒドロカルビル置換基、好ましくはＣ１０〜Ｃ２０アルキル又はアルケニル、最も好ましくはＣ１２〜Ｃ１８アルキル又はアルケニルであり、このＲ１基を含有する脂肪酸のヨウ素価は０〜約１４０、より好ましくは約４０〜約１３０であり、シス／トランス比は約１：１〜約５０：１であり、最小限１：１、好ましくは約２：１〜約４０：１であり、より好ましくは約３：１〜約３０：１であり、更により好ましくは約４：１〜約２０：１であり、各Ｒ１は、また、分枝鎖Ｃ１４〜Ｃ２２アルキル基、好ましくは分枝鎖Ｃ１６〜Ｃ１８基であり、各ＲはＨ又は短鎖Ｃ１〜Ｃ６、好ましくはＣ１〜Ｃ３アルキル又はヒドロキシアルキル基、例えば、メチル（最も好ましい）、エチル、プロピル、ヒドロキシエチルなど、ベンジル、又は（Ｒ２Ｏ）２〜４Ｈであり、Ａ−は柔軟化活性物質と適合性のある陰イオン、好ましくは、塩化物、臭化物、メチルサルフェート、エチルサルフェート、サルフェート、及び硝酸であり、より好ましくは塩化物及びメチルサルフェートである；
（６）次式を有する柔軟化活性物質：
【化３】
2004535493.tif 000004
【００５９】
式中、Ｒ、Ｒ１、及びＡ−の各々は上記の定義を有し、Ｒ２の各々はＣ１〜６アルキレン基、好ましくはエチレン基であり、Ｇは酸素原子又は−ＮＲ−基である；
（７）次式を有する柔軟化活性物質：
【化４】
2004535493.tif 000005
【００６０】
式中、Ｒ１、Ｒ２及びＧは、（６）におけるように定義される；
（８）実質的に不飽和及び／又は分枝鎖の高級脂肪酸とジアルキレントリアミンとの、例えばモル比約２：１での反応生成物であって、前記反応生成物は次式の化合物を含有し、
Ｒ１−Ｃ（Ｏ）−ＮＨ−Ｒ２−ＮＨ−Ｒ３−ＮＨ−Ｃ（Ｏ）−Ｒ１
式中、Ｒ１、Ｒ２は上記（６）のように定義され、各Ｒ３はＣ１〜６アルキレン基、好ましくはエチレン基である；
（９）次式を有する柔軟化活性物質：
［Ｒ１−Ｃ（Ｏ）−ＮＲ−Ｒ２−Ｎ（Ｒ）２−Ｒ３−ＮＲ−Ｃ（Ｏ）−Ｒ１］＋Ａ−
式中、Ｒ、Ｒ１、Ｒ２、Ｒ３及びＡ−は、上記（６）及び（８）のように定義される；
（１０）実質的に不飽和及び／又は分枝鎖の高級脂肪酸とヒドロキシアルキルアルキレンジアミンとの、モル比約２：１での反応生成物であって、前記反応生成物は次式の化合物を含有し、
Ｒ１−Ｃ（Ｏ）−ＮＨ−Ｒ２−Ｎ（Ｒ３ＯＨ）−Ｃ（Ｏ）−Ｒ１
式中、Ｒ１、Ｒ２及びＲ３は、上記（８）のように定義される；及び
（１１）これらの混合物。
【００６１】
化合物（５）の例はジアルキレンジメチルアンモニウム塩であり、例えばジキャノーラジメチルアンモニウムクロリド（dicanoladimethylammonium chloride）、ジキャノーラジメチルアンモニウムメチルサルフェート（dicanoladimethylammonium methylsulfate）、ジ（一部硬化大豆、シス／トランス比約４：１）ジメチルアンモニウムクロリド、ジオレイルジメチルアンモニウムクロリドである。ジオレイルジメチルアンモニウムクロリド及びジ（キャノーラ）ジメチルアンモニウムクロリドが好ましい。本発明に使用可能な市販のジアルキレンジメチルアンモニウム塩の一例は、ジオレイルジメチルアンモニウムクロリドであり、ウィトコ社（Witco Corporation）より商品名アドゲン（Adogen（登録商標））４７２として入手可能である。
【００６２】
化合物（６）の一例は１−メチル−１−オレイルアミドエチル−２−オレイルイミダゾリニウムメチルサルフェートであり、式中、Ｒ１は非環式脂肪族Ｃ１５〜Ｃ１７炭化水素基であり、Ｒ２はエチレン基であり、ＧはＮＨ基であり、Ｒ５はメチル基であり、及びＡ−はメチルサルフェート陰イオンであり、ウィトコ社（Witco Corporation）より商品名バリソフト（Varisoft（登録商標））３６９０で市販されている。
【００６３】
化合物（７）の一例は１−オレイルアミドエチル−２−オレイルイミダゾリンであり、式中、Ｒ１は非環式脂肪族Ｃ１５〜Ｃ１７炭化水素基であり、Ｒ２はエチレン基であり、ＧはＮＨ基である。
【００６４】
化合物（８）の一例は、オレイン酸とジエチレントリアミンとのモル比約２：１での反応生成物であり、前記反応生成物混合物は次式のＮ，Ｎ”−ジオレオイルジエチレントリアミンを含有し、
Ｒ１−Ｃ（Ｏ）−ＮＨ−ＣＨ２ＣＨ２−ＮＨ−ＣＨ２ＣＨ２−ＮＨ−Ｃ（Ｏ）−Ｒ１
式中、Ｒ１−Ｃ（Ｏ）は、ヘンケル社（Henkel Corporation）から入手可能なエマーソル（Emersol）（登録商標）２２３ＬＬ又はエマーソル（Emersol）（登録商標）７０２１のような、植物又は動物資源から誘導された市販のオレイン酸のオレオイル基であり、Ｒ２及びＲ３は二価のエチレン基である。
【００６５】
化合物（９）の一例は、次式を有する二価脂肪族（difatty）アミドアミンをベースとする柔軟化活性物質であり、
［Ｒ１−Ｃ（Ｏ）−ＮＨ−ＣＨ２ＣＨ２−Ｎ（ＣＨ３）（ＣＨ２ＣＨ２ＯＨ）−ＣＨ２ＣＨ２−ＮＨ−Ｃ（Ｏ）−Ｒ１］＋ＣＨ３ＳＯ４−
式中、Ｒ１−Ｃ（Ｏ）はオレオイル基であり、ウィトコ社（Witco Corporation）より商品名バリソフト（Varisoft（登録商標））２２２ＬＴとして市販されている。
【００６６】
化合物（１０）の一例は、オレイン酸とＮ−２−ヒドロキシエチルエチレンジアミンとのモル比約２：１での反応生成物であり、前記反応生成物混合物は次式の化合物を含有し、
Ｒ１−Ｃ（Ｏ）−ＮＨ−ＣＨ２ＣＨ２−Ｎ（ＣＨ２ＣＨ２ＯＨ）−Ｃ（Ｏ）−Ｒ１
式中、Ｒ１−Ｃ（Ｏ）は、ヘンケル社（Henkel Corporation）から入手可能なエマーソル（Emersol）（登録商標）２２３ＬＬ又はエマーソル（Emersol）（登録商標）７０２１のような、植物又は動物資源から誘導された市販のオレイン酸のオレオイル基である。
【００６７】
上記の個々の化合物（活性物質）を個々に又は混合物として使用することができる。
【００６８】
上記の柔軟化活性物質と組み合わせて使用できる、任意選択的であるが非常に望ましい陽イオン性化合物の一種は、次のものから成る群から選択される１つの長鎖非環式Ｃ８〜Ｃ２２炭化水素基を含有する化合物であり、
式中、Ｒ７は水素又はＣ１〜Ｃ４飽和アルキル若しくはヒドロキシアルキル基であり、Ｒ１及びＡ−は上記のように定義される；
（１２）次式を有する非環式四級アンモニウム塩：
［Ｒ１−Ｎ（Ｒ５）２−Ｒ６］＋Ａ−
式中、Ｒ５及びＲ６はＣ１〜Ｃ４アルキル又はヒドロキシアルキル基であり、Ｒ１及びＡ−は、上記（９）のように定義される；
（１３）次式を有する置換イミダゾリニウム塩：
【化５】
2004535493.tif 000006
【００６９】
式中、Ｒ７は水素又はＣ１〜Ｃ４飽和アルキル又はヒドロキシアルキル基であり、Ｒ１及びＡ−は、上記（９）のように定義される；
（１４）次式を有する置換イミダゾリニウム塩：
【化６】
2004535493.tif 000007
【００７０】
式中、Ｒ５はＣ１〜Ｃ４アルキル又はヒドロキシアルキル基であり、Ｒ１、Ｒ２、及びＡ−は、上記（９）のように定義される；
（１５）次式を有するアルキルピリジニウム塩：
【化７】
2004535493.tif 000008
【００７１】
式中、Ｒ４は非環式脂肪族Ｃ８〜Ｃ２２炭化水素基であり、Ａ−は陰イオンである；
（１６）次式を有するアルカンアミド（alkanamide）アルキレンピリジニウム塩：
【化８】
2004535493.tif 000009
【００７２】
式中、Ｒ１、Ｒ２及びＡ−は、上記のように定義される；及び
（１７）例えば次式を有するモノアルキルジ四級塩：
Ａ−［Ｒ１−Ｎ（＋）（Ｒ）２−Ｒ２Ｎ（＋）（Ｒ）３］Ａ−
式中、Ｒ、Ｒ１、Ｒ２及びＡ−は、上記（６）及び（９）のように定義される；及び
（１８）これらの混合物。
【００７３】
化合物（１２）の例はモノアルケニルトリメチルアンモニウム塩であり、例えばモノオレイルトリメチルアンモニウムクロリド、モノキャノーラトリメチルアンモニウムクロリド（monocanolatrimethylammonium chloride）、及びソヤトリメチルアンモニウムクロリド（soyatrimethylammonium chloride）である。モノオレイルトリメチルアンモニウムクロリド及びモノキャノーラトリメチルアンモニウムクロリド（monocanolatrimethylammonium chloride）が好ましい。化合物（１２）の他の例には、ウィトコ社（Witco Corporation）より商品名アドゲン（Adogen（登録商標））４１５として入手可能なソヤトリメチルアンモニウムクロリド（soyatrimethylammonium chloride）、Ｒ１が天然資源に由来するＣ２２炭化水素基であるエルシルトリメチルアンモニウムクロリド（erucyltrimethylammonium chloride）、Ｒ１がＣ１６〜Ｃ１８炭化水素基であり、Ｒ５がメチル基であり、Ｒ６がエチル基であり、Ａ−がエチルサルフェート陰イオンであるソヤジメチルエチルアンモニウムエチルサルフェート（soyadimethylethylammonium ethylsulfate）、及びＲ１がＣ１８炭化水素基であり、Ｒ５が２−ヒドロキシエチル基であり、Ｒ６がメチル基であるメチルビス（２−ヒドロキシエチル）オレイルアンモニウムクロリドがある。
【００７４】
化合物（１４）の一例は１−エチル−１−（２−ヒドロキシエチル）−２−イソヘプタデシルイミダゾリニウムエチルサルフェートであり、式中、Ｒ１はＣ１７炭化水素基であり、Ｒ２はエチレン基であり、Ｒ５はエチル基であり、Ａ−はエチルサルフェート陰イオンである。
【００７５】
化合物（１７）の一例は、次式を有するＮ−タローペンタメチルプロパンジアンモニウムジクロリドであり、
Ｃｌ−［（タローアルキル）−Ｎ（＋）（ＣＨ３）２−ＣＨ２−ＣＨ２−Ｎ（＋）（ＣＨ３）３］Ｃｌ−
ウィトコ社（Witco Corporation）より商品名アドゲン（Adogen（登録商標））４７７として入手可能である。
【００７６】
本明細書の陽イオン性窒素含有塩において、陰イオンＡ−は柔軟化活性物質と適合性のある任意の陰イオンであり、電気的中性を提供する。最も頻繁に、これらの塩において電気的中性を提供するのに用いられる陰イオンは、強酸に由来し、特にハロゲン化物、例えば塩化物、メチルサルフェート、臭化物、又はヨウ化物である。しかし、他の陰イオン、例えばエチルサルフェート、アセテート、ギ酸塩、サルフェート、炭酸塩なども用いることができる。本明細書では陰イオンＡとして、塩化物及びメチルサルフェートが好ましい。
【００７７】
好適な陽イオン性界面活性剤は次式を有するジアルキルジメチルアンモニウム塩が挙げられるが、これに限定されない。
【００７８】
Ｒ’Ｒ”Ｎ＋（ＣＨ３）２Ｘ−
式中、各Ｒ’及びＲ”は１２〜３０Ｃ原子から成る群から独立して選択されるか、又はタロー、ココナッツ油若しくは大豆に由来し、Ｘ＝Ｃｌ又はＢｒであり、非限定的な例には、ジドデシルジメチルアンモニウムブロミド（ＤＤＡＢ）、ジヘキサデシルジメチルアンモニウムクロリド、ジヘキサデシルジメチルアンモニウムブロミド、ジオクタデシルジメチルアンモニウムクロリド、ジエイコシルジメチルアンモニウムクロリド、ジドコシルジメチルアンモニウムクロリド、ジココナッツジメチルアンモニウムクロリド、ジタロージメチルアンモニウムブロミド（ＤＴＡＢ）が挙げられる。市販の例として、アドゲン（ＡＤＯＧＥＮ）、アークワッド（ＡＲＱＵＡＤ）、トマー（ＴＯＭＡＨ）、バリクワット（ＶＡＲＩＱＵＡＴ）が挙げられるが、これらに限定されない。
【００７９】
一実施形態では、陽イオン性界面活性剤は、次式を有する本発明の組成物に有用な水溶性四級アンモニウム化合物を含み、
Ｒ１Ｒ２Ｒ３Ｒ４Ｎ＋Ｘ−
式中、Ｒ１はＣ８〜Ｃ１６アルキルであり、Ｒ２、Ｒ３及びＲ４のそれぞれは独立してＣ１〜Ｃ４アルキル、Ｃ１〜Ｃ４ヒドロキシアルキル、ベンジル、及び−（Ｃ２Ｈ４０）ｘＨであり、ここでｘの値は２〜５であり、Ｘは１つの陰イオンである。ベンジルは、Ｒ２、Ｒ３又はＲ４の多くても一つであるべきである。
【００８０】
典型的な陽イオン性布地柔軟化化合物には、非水溶性四級アンモニウム布地柔軟化活性物質が挙げられ、最も一般に使用されるものは、ジ（長鎖アルキル）ジメチルアンモニウム（Ｃ１〜Ｃ４アルキル）サルフェート又はクロリド、好ましくはメチルサルフェートであり、化合物には次のものが挙げられる：
１）ジ（タローアルキル）ジメチルアンモニウムメチルサルフェート（ＤＴＤＭＡＭＳ）；
２）ジ（硬化タローアルキル）ジメチルアンモニウムメチルサルフェート；
３）ジ（硬化タローアルキル）ジメチルアンモニウムクロリド（ＤＴＤＭＡＣ）；
４）ジステアリルジメチルアンモニウムメチルサルフェート；
５）ジオレイルジメチルアンモニウムメチルサルフェート；
６）ジパルミチルヒドロキシエチルメチルアンモニウムメチルサルフェート；
７）ステアリルベンジルジメチルアンモニウムメチルサルフェート；
８）タローアルキルトリメチルアンモニウムメチルサルフェート；
９）（硬化タローアルキル）トリメチルアンモニウムメチルサルフェート；
１０）（Ｃ１２〜１４アルキル）ヒドロキシエチルジメチルアンモニウムメチルサルフェート；
１１）（Ｃ１２〜１８アルキル）ジ（ヒドロキシエチル）メチルアンモニウムメチルサルフェート；
１２）ジ（ステアロイルオキシエチル）ジメチルアンモニウムクロリド；
１３）ジ（タローオイルオキシエチル（tallowoyloxyethyl））ジメチルアンモニウムメチルサルフェート；
１４）ジタローアルキルイミダゾリニウムメチルサルフェート；
１５）１−（２−タローイルアミドエチル（tallowylamidoethyl））−２−タローイルイミダゾリニウム（tallowylimidazolinium）メチルサルフェート；及び
１６）これらの混合物。
【００８１】
好適な非イオン性界面活性剤には、これらに限定されないが、以下のものが挙げられる：
ａ）ノニルフェノール及びミリスチルアルコールのポリエチレンオキシド縮合物であり、米国特許第４，６８５，９３０号、カスプルザーク（Kasprzak）におけるものなど、及び
ｂ）脂肪族アルコールエトキシレート、Ｒ−（ＯＣＨ２ＣＨ２）ａＯＨ、ａ＝１〜１００、通常は１２〜４０、Ｒ＝炭化水素残基８〜２０Ｃ原子、通常は直鎖アルキル。例は、４又は２３のオキシエチレン基を有するポリオキシエチレンラウリルエーテル；２、１０又は２０のオキシエチレン基を有するポリオキシエチレンセチルエーテル；２、１０、２０、２１又は１００のオキシエチレン基を有するポリオキシエチレンステアリルエーテル；２又は１０のオキシエチレン基を有するポリオキシエチレン（２）、（１０）オレイルエーテル。市販されている例には、アルフォニック（ALFONIC）、ブリジ（BRIJ）、ゲナポール（GENAPOL）、ネオドール（NEODOL）、サーフォニック（SURFONIC）、トリコール（TRYCOL）が挙げられるが、これらに限定されない。
【００８２】
エトキシル化界面活性剤などのエトキシル化物質の非限定的な例には、次の一般式を有する化合物が挙げられ、
Ｒ８−Ｚ−（ＣＨ２ＣＨ２Ｏ）ｓＢ
式中、Ｒ８は、約６〜約２０の炭素原子、好ましくは約８〜約１８、より好ましくは約１０〜約１５の炭素原子を有する一級、二級及び分枝鎖アルキルヒドロカルビル基、一級、二級及び分枝鎖アルケニルヒドロカルビル基、並びに／又は一級、二級及び分枝鎖アルキル−及びアルケニル−置換型フェノールヒドロカルビル基から成る群から選択されるアルキル基又はアルキルアリール基であり、ｓは約２〜約４５、好ましくは約２〜約２０、より好ましくは約２〜約１５の整数であり、Ｂは水素、カルボキシレート基、又はサルフェート基であり、連結基Ｚは−Ｏ−、−Ｃ（Ｏ）Ｏ−、又は−Ｃ（Ｏ）Ｎ（Ｒ）−、及びこれらの混合物であり、ここでＲが存在する場合は、Ｒ８又は水素である。
【００８３】
本明細書の非イオン系界面活性剤は、５〜２０、好ましくは６〜１５のＨＬＢ（親水性−親油性バランス）を特徴とする。
【００８４】
好ましいエトキシル化界面活性剤の非限定例は：
Ｒ８がＣ８〜Ｃ１８アルキル及び／又はアルケニル基、より好ましくはＣ１０〜Ｃ１４アルキル及び／又はアルケニル基であり、ｓが約２〜約８、好ましくは約２〜約６である直鎖一級アルコールエトキシレート類；
Ｒ８がＣ８〜Ｃ１８アルキル及び／又はアルケニル、例えば、３−ヘキサデシル、２−オクタデシル、４−エイコサニル、及び５−エイコサニルであり、ｓが約２〜約１０である直鎖二級アルコールエトキシレート類；
アルキルフェノールが一級、二級又は分枝鎖の配置において３〜２０の炭素原子、好ましくは６〜１２の炭素原子を含有するアルキル又はアルケニル基を有し、ｓが約２〜約１２、好ましくは約２〜約８であるアルキルフェノールエトキシレート類；
例えば、周知の「オキソ」法又はその変更から利用可能である分枝鎖一級及び二級アルコール（又はゲルベアルコール類）がエトキシル化されている分枝鎖アルコールエトキシレート類である。
【００８５】
特に好ましいのは、アルキルエトキシレート界面活性剤であって、各Ｒ８がＣ８〜Ｃ１６の直鎖及び／又は分枝鎖のアルキルであり、エチレンオキシ基の数ｓが約２〜約６、好ましくは約２〜約４であるもの、より好ましくはＲ８がＣ８〜Ｃ１５のアルキルであり、及びｓが約２．２５〜約３．５であるものである。これらの非イオン系界面活性剤は、ＨＬＢが約６〜約１１、好ましくは約６．５〜約９．５、及びより好ましくは約７〜約９であることを特徴とする。市販の好ましい界面活性剤の非限定的な例は、ネオドール（Neodol）９１−２．５（Ｃ９〜Ｃ１０、ｓ＝２．７、ＨＬＢ＝８．５）、ネオドール（Neodol）２３−３（Ｃ１２〜Ｃ１３、ｓ＝２．９、ＨＬＢ＝７．９）、及びネオドール（Neodol）２５−３（Ｃ１２〜Ｃ１５、ｓ＝２．８、ＨＬＢ＝７．５）である。
【００８６】
更なる非限定的な例には、エトキシル化（ＥＯ５〜１００）ソルビタンの脂肪酸（Ｃ１２〜１８）エステルから成る群から選択される非イオン性界面活性剤などが挙げられる。より好ましくは、前記界面活性剤は、ソルビトール及び無水ソルビトールのラウレートエステルの混合物、ソルビトール及び無水ソルビトールのステアレートエステルの混合物、及びソルビトール及び無水ソルビトールのオレエートエステルの混合物から成る群から選択される。更により好ましくは、前記界面活性剤は、ソルビトール及び無水ソルビトールのラウレートエステルの混合物であって、主にモノエステルからなり、約２０モルのエチレンオキシドと縮合されたポリソルベート２０；ソルビトール及び無水ソルビトールのステアレートエステルの混合物であって、主にモノエステルからなり、約２０モルのエチレンオキシドと縮合されたポリソルベート６０；ソルビトール及び無水ソルビトールのオレエートエステルの混合物であって、主にモノエステルからなり、約２０モルのエチレンオキシドと縮合されたポリソルベート８０；及びこれらの混合物から成る群から選択される。最も好ましくは、前記界面活性剤はポリソルベート６０である。
【００８７】
エトキシル化界面活性剤の他の例には、Ｒ８が約１２〜約１６の炭素原子を有し、ｓが約５〜約１３であるエーテルカルボキシレートとしても知られるカルボキシル化アルコールエトキシレート；ＰＥＧ−５ココモニウムメトサルフェート、ＰＥＧ−１５ココモニウムクロリド、ＰＥＧ−１５オレアンモニウムクロリド及びビス（ポリエトキシエタノール）タローアンモニウムクロリドのようなエトキシル化四級アンモニウム界面活性剤が挙げられる。
【００８８】
他の好適な非イオン性エトキシル化界面活性剤は、エチレンオキシドと疎水性のアルキ
ルアミンとの縮合により得られるエトキシル化アルキルアミンであり、Ｒ８は約８〜約２２の炭素原子を有し、ｓは約３〜約３０である。
【００８９】
また、本明細書で使用するのに好適な非イオン性エトキシル化界面活性剤は、米国特許第４，５６５，６４７号（レナド（Llenado）、１９８６年１月２１日発行）に開示されており、約８〜約３０の炭素原子、好ましくは約１０〜約１６の炭素原子を含有する疎水性基、及び多糖類、例えば、ポリグリコシド、約１．３〜約１０、好ましくは約１．３〜約３、最も好ましくは約１．３〜約２．７の糖単位を含有する親水性基を有するアルキル多糖類である。炭素原子数５又は６の還元性のいかなる糖、例えばグルコース、ガラクトースも使用でき、ガラクトシル部分はグルコシル部分で置換されていてもよい。糖間結合は、例えば、付加させる糖単位の一つの位置と、元の糖単位の２−、３−、４−、及び／又は６位との間で形成させることができる。好ましいアルキルポリグリコシドは次式を有し、
Ｒ２Ｏ（ＣｎＨ２ｎＯ）ｔ（グリコシル）ｘ
式中、Ｒ２はアルキル、アルキルフェニル、ヒドロキシアルキル、ヒドロキシアルキルフェニル、及びこれらの混合物から成る群から選択され、その際、アルキル基は１０〜１８、好ましくは１２〜１４の炭素原子を含有し、ｎは２又は３、好ましくは約１．３〜約３、最も好ましくは約１．３〜約２．７である。グリコシルは好ましくはグルコースに由来する。
【００９０】
一実施形態では、非イオン性界面活性剤は、次式のポリヒドロキシ脂肪酸アミド界面活性剤を含み、
Ｒ２−Ｃ（Ｏ）−Ｎ（Ｒ１）−Ｚ、
式中、Ｒ１はＨ、又はＣ１〜４ヒドロカルビル、２−ヒドロキシエチル、２−ヒドロキシプロピル若しくはこれらの混合物であり、Ｒ２はＣ５〜３１ヒドロカルビルであり、及びＺは、鎖に直接結合した少なくとも３つのヒドロキシルを持つ線状ヒドロカルビル鎖を有するポリヒドロキシヒドロカルビル、又はそのアルコキシル化誘導体である。好ましくは、Ｒ１はメチルであり、Ｒ２は直鎖Ｃ１１〜１５アルキル又はＣ１６〜１８アルキル若しくはアルケニル鎖、例えばココナッツアルキル又はその混合物であり、Ｚは、還元型アミノ化反応におけるグルコース、フルクトース、マルトース、ラクトースのような還元糖に由来する。
【００９１】
一実施形態では、陰イオン性界面活性剤には、アルキルアルコキシル化サルフェート界面活性剤が挙げられ、これは式ＲＯ（Ａ）ｍＳＯ３Ｍの水溶性塩又は酸であり、式中、ＲはＣ１０〜Ｃ２４アルキル成分を有する非置換型Ｃ１０〜Ｃ２４アルキル又はヒドロキシアルキル基、好ましくはＣ１２〜Ｃ２０アルキル又はヒドロキシアルキル、より好ましくはＣ１２〜Ｃ１８アルキル又はヒドロキシアルキルであり、Ａはエトキシ又はプロポキシ単位であり、ｍは０より大きく、典型的には約０．５〜約６、より好ましくは約０．５〜約３であり、ＭはＨ、又は例えば金属陽イオン（例えばナトリウム、カリウム、リチウム、カルシウム、マグネシウムなど）、アンモニウム又は置換アンモニウム陽イオンとすることができる陽イオンである。アルキルエトキシ化サルフェート類並びにアルキルプロポキシ化サルフェート類が、本明細書において考察される。
【００９２】
親油性流体と組み合わせて補助剤として使用するのに好適なこれら及び他の界面活性剤は、当該技術分野で周知であり、より詳細にカーク・オスマー（Kirk Othmer）の工業化学百科事典（Encyclopedia of Chemical Technology）、第３版、第２２巻、３６０〜３７９頁、「界面活性剤及び洗剤システム（Surfactants and Detersive Systems）」に記載されており、参考として本明細書に組み込まれる。更なる好適な非イオン性の洗浄性界面活性剤は、１９７５年１２月３０日に発行されたラフリン（Laughlin）らの米国特許第３，９２９，６７８号の１３段１４行〜１６段６行に概ね開示されており、本明細書に参考として組み込まれる。
【００９３】
非シリコーン添加剤は、本発明の布地物品処理組成物中に存在する場合、好ましくは布地物品処理組成物の約０．０１重量％〜約１０重量％、より好ましくは約０．０２重量％〜約５重量％、更により好ましくは約０．０５重量％〜約２重量％含まれる。
【００９４】
非シリコーン添加剤は、本発明の消費可能な洗剤組成物中に存在する場合、好ましくは消費可能な洗剤組成物の約１重量％〜約９０重量％、更に好ましくは約２重量％〜約７５重量％、更により好ましくは約５重量％〜約６０重量％含まれる。
【００９５】
一実施形態では、界面活性剤成分は、非シリコーン添加剤を含む。
【００９６】
別の実施形態では、界面活性剤成分は、非シリコーン添加剤を含まない。
【００９７】
（極性溶媒）
本発明の組成物は更に極性溶媒を含んでもよい。極性溶媒の非限定的な例には、水、アルコール、グリコール、ポリグリコール、エーテル、炭酸塩、二塩基性エステル、ケトン、他の酸素化溶媒、及びこれらの混合物が挙げられる。アルコールの更なる例には、Ｃ１〜Ｃ１２６アルコール、例えば、プロパノール、エタノール、イソプロピルアルコールなど、ベンジルアルコール、及び１，２−ヘキサンジオールのようなジオールが挙げられる。ダウ・ケミカル（Dow Chemical）によるダウアノール（Dowanol）シリーズは、本発明に有用なグリコール及びポリグリコールの例であり、ダウアノール（Dowanol）ＴＰＭ、ＴＰｎＰ、ＤＰｎＢ、ＤＰｎＰ、ＴＰｎＢ、ＰＰｈ、ＤＰＭ、ＤＰＭＡ、ＤＢ、及び他のものなどがある。更なる例には、プロピレングリコール、ブチレングリコール、ポリブチレングリコール、及びより疎水性のグリコールが挙げられる。炭酸塩溶媒の例には、ジェフソル（Jeffsol）の商品名で入手可能なもののようなエチレン、プロピレン及びブチレンカーボネートが挙げられる。本発明用の極性溶媒は、分散性（δＤ）、極性（δＰ）及び水素結合（δＨ）ハンセン溶解度パラメータによって更に同定することができる。好ましい極性溶媒又は極性溶媒混合物は、極性分率の値（ｆＰ）及び水素結合分率の値（ｆＨ）が、ｆＰ＞０．０２及びｆＨ＞０．１０であり、ここでｆＰ＝δＰ／（δＤ＋δＰ＋δＨ）及びｆＨ＝δＨ／（δＤ＋δＰ＋δＨ）、より好ましくはｆＰ＞０．０５及びｆＨ＞０．２０、最も好ましくはｆＰ＞０．０７及びｆＨ＞０．３０である。
【００９８】
本発明の洗剤組成物では、極性溶媒の濃度は、洗剤組成物の約０〜約７０重量％、好ましくは１〜５０重量％、更により好ましくは１〜３０重量％とすることができる。
【００９９】
水は、本発明の洗浄流体布地物品処理組成物中に存在する場合、洗浄流体組成物は洗浄流体布地物品処理組成物の約０．００１重量％〜約１０重量％、より好ましくは約０．００５重量％〜約５重量％、更により好ましくは約０．０１重量％〜約１重量％含まれてもよい。
【０１００】
水は、本発明の洗剤組成物中に存在する場合、好ましくは消費可能な洗剤組成物の約１重量％〜約９０重量％、より好ましくは約２重量％〜約７５重量％、更により好ましくは約５重量％〜約４０重量％含まれる。
【０１０１】
（加工助剤）
任意選択的に、本発明の組成物は、加工助剤を更に含んでもよい。加工助剤は、消費可能な洗剤組成物の流動性及び／又は均一性を維持し、及び／又は希釈プロセスを助けることにより、本発明の布地物品処理組成物の形成を促進する。本発明に好適な加工助剤は溶媒であり、好ましくは上述のもの以外の溶媒、ヒドロトロープ、及び／又は界面活性剤、好ましくは界面活性剤成分に関する上述のもの以外の界面活性剤である。特に好ましい加工助剤は、脂肪族アルコール、ジオール、トリオールなどのプロトン性溶媒、及びエトキシル化脂肪族アルコールなどの非イオン性界面活性剤である。
【０１０２】
加工助剤は、本発明の布地物品処理組成物中に存在する場合、好ましくは布地物品処理組成物の約０．０２重量％〜約１０重量％、より好ましくは約０．０５重量％〜約１０重量％、更により好ましくは約０．１重量％〜約１０重量％含まれる。
【０１０３】
加工助剤は、本発明の消費可能な洗剤組成物中に存在する場合、好ましくは消費可能な洗剤組成物の約１重量％〜約７５重量％、より好ましくは約５重量％〜約５０重量％含まれる。
【０１０４】
（洗浄補助剤）
本発明の組成物は、任意選択的に１種類以上の洗浄補助剤を更に含んでもよい。任意選択的な洗浄補助剤は、広範にわたって様々であることができ、広範にわたる濃度で使用することができる。例えば、洗濯又はクリーニング製品で全て有用なマンガン又は類似の遷移金属を有する大環状型を含む漂白触媒と同様に、プロテアーゼ類、アミラーゼ類、セルラーゼ類、リパーゼ類などの洗剤用酵素を、非常に低い濃度で、又はあまり普通ではないがより高い濃度で、本明細書に使用することができる。触媒作用をする洗浄補助剤、例えば酵素は、「前進」又は「逆進」モードで用いることができ、これは本発明の布地処理方法とは無関係に有用な発見である。例えば、リポラーゼ又は他の加水分解酵素を、任意選択的にアルコールの存在下で洗浄補助剤として使用し、脂肪酸をエステルに転換してもよく、これにより親油性流体中での溶解度が増大する。これは「逆方向」操作であって、水に対する溶解度がより小さい脂肪酸エステルを、水に対する溶解度がより大きい物質に転換するための、水中におけるこの加水分解酵素の通常の使用法とは対照的である。とにかく、どのような洗浄補助剤も、本発明の親油性流体と組み合わせて使用するのに好適でなければならない。
【０１０５】
好適な洗浄補助剤には、以下に限定されないが、ビルダー、界面活性剤、界面活性剤成分に関する上述のもの以外、酵素、漂白活性化剤、漂白触媒、漂白促進剤、漂白剤、アルカリ性供給源、抗菌剤、着色剤、香料、副香料、仕上げ助剤、ライム石鹸分散剤、臭気制御剤、臭気中和剤、ポリマー移染抑制剤、結晶成長阻害剤、光漂白剤、重金属イオン封鎖剤、変色防止剤、抗微生物剤、酸化防止剤、再付着防止剤、汚れ放出ポリマー、電解質、ｐＨ調整剤、増粘剤、研磨剤、二価又は三価イオン、金属イオン塩、酵素安定化剤、腐食防止剤、ポリアミン及び／又はそのアルコキシレート、泡安定化ポリマー、溶媒、加工助剤、布地柔軟剤、蛍光増白剤、ヒドロトロープ、泡又は発泡抑制剤、泡又は発泡促進剤、及びこれらの混合物が挙げられる。
【０１０６】
仕上げ剤として任意選択的に使用されてもよい好適な臭気制御剤には、シクロデキストリン、臭気中和剤、臭気遮断剤、及びこれらの混合物を含む試剤が挙げられる。好適な臭気中和剤としては、アルデヒド類、フラボノイド類、金属性塩、水溶性ポリマー、ゼオライト、活性炭及びこれらの混合物が挙げられる。
【０１０７】
本発明の組成物に有用な香料及び香料的成分は、多種多様な天然及び合成の化学成分を含み、以下に限定されないが、アルデヒド類、ケトン類、及びエステル類などが挙げられる。オレンジ油、レモン油、バラ抽出物、ラベンダー、麝香、パチョリ、バルサムのエキス、白檀油、松根油、スギなどのような成分の複雑な混合物を含むことができる、種々の天然の抽出物及びエキスも挙げられる。完成した香料は、かかる成分の極めて複雑な混合物を含んでよい。副香料も本発明で有用である。そのような物質は、化学的に反応可能なそれらの前駆体又は混合物であり、例えば加水分解により香料を放出し、これはプロクター・アンド・ギャンブル社（Procter and Gamble）、フィルメニッチ（Firmenich）、ギボウダン（Givaudan）及び他の特許及び／又は公表された特許出願に記載されている。
【０１０８】
漂白剤、特に酸素漂白剤は、本発明の組成物中に使用するのに好適なもう１つの種類の洗浄補助剤である。これは特に、ノナノイルオキシベンゼンスルホネート及び／又はその直鎖状若しくは分枝鎖状高級若しくは低級同族体のいずれか、並びに／又はテトラアセチルエチレンジアミン及び／若しくはその誘導体のいずれか若しくはフタロイルイミドペルオキシカプロン酸（ＰＡＰ）の誘導体のような漂白活性化剤、ラクタム型を含む他のイミド−若しくはアミド−置換漂白活性化剤、又はより一般的に、親水性及び／若しくは疎水性漂白活性化剤のいずれかの混合物（特に、Ｃ６〜Ｃ１６置換オキシベンゼンスルホネート類のものを含むアシル誘導体）による活性化及び触媒化型の場合である。
【０１０９】
ＰＡＰ及びＰＡＰ以外のものを含む有機又は無機過酸も好適である。本明細書で使用される好適な有機又は無機過酸としては、限定されないが、ペルカルボン酸類及び塩類、過炭酸類及び塩類、ペルイミド酸類及び塩類、ペルオキシモノ硫酸類及び塩類、モノペルサルフェートのような過硫酸類、ジペルオキシドデカンジオン酸（ＤＰＤＡ）のような過オキソ酸、ペルオキシフタル酸マグネシウム、過ラウリン酸、過安息香酸類及びアルキル過安息香酸類、並びにこれらの混合物が挙げられる。
【０１１０】
好適な有機ペルオキシカルボン酸の一分類は次の一般式を有し、
【化９】
2004535493.tif 000010
【０１１１】
式中、Ｒは１〜約２２の炭素原子を含有するアルキレン若しくは置換アルキレン基、又はフェニレン若しくは置換フェニレン基であり、Ｙは水素、ハロゲン、アルキル、アリール、−Ｃ（Ｏ）ＯＨ若しくは−Ｃ（Ｏ）ＯＯＨである。
【０１１２】
特に好ましい過酸化合物は次式を有するものであり、
【化１０】
2004535493.tif 000011
【０１１３】
式中、ＲはＣ１〜４アルキルであり、ｎは１〜５の整数である。特に好ましい過酸は、ＲがＣＨ２で、ｎが５である式を有し、すなわち米国特許第５，４８７，８１８号、第５，３１０，９３４号、第５，２４６，６２０号、第５，２７９，７５７号、及び第５，１３２，４３１号に記載のフタロイルアミノ過オキシカプロン酸（ＰＡＰ）である。ＰＡＰは、オウシモントＳｐＡ（Ausimont SpA）から商標名ユーロコ（Euroco）として入手可能である。
【０１１４】
本発明の組成物に使用するのに好適な他の洗浄補助剤には、以下に限定されないが、ゼオライトＡ、Ｐ及びいわゆる最大アルミミウムＰを含むゼオライト類のような不溶性型、並びにホスフェート類及びポリホスフェート類のような可溶性型、いずれかの水和酸化水溶性又は非水溶性シリケート類、２，２’−オキシジサクシネート類、タータレートサクシネート類、グリコレート類、ＮＴＡ及び多くの他のエーテルカルボキシレート類又はシトレート類を含むビルダー；ＥＤＴＡ、Ｓ，Ｓ’−ＥＤＤＳ、ＤＴＰＡ及びホスホネート類を含むキレート剤；水溶性ポリマー、コポリマー及びターポリマー；汚れ放出ポリマー；蛍光増白剤；クリスピング剤（crisping agent）及び／充填剤のような加工助剤；再付着防止剤；クメンスルホン酸ナトリウム又はカルシウム、ナフタレンスルホン酸カリウム等のヒドロトロープ、保湿剤；他の香料又は副香料；染料；光漂白剤；増粘剤；単塩；水酸化物、炭酸塩、重炭酸塩及びサルフェートなどを含むナトリウム又はカリウムをベースとするものなどのアルカリ；及びこれらの洗浄補助剤の一種以上の組み合わせが挙げられる。
【０１１５】
好適な仕上げ助剤には、以下に限定されないが、合成又は天然のポリアクリレート類、デンプンカルボキシメチルセルロース又はヒドロキシプロピルメチルセルロースのような仕上げポリマー、臭気制御剤、臭気中和剤、香料、副香料、静電気防止剤、布地柔軟剤、防虫剤及び／又は防蛾剤及びこれらの混合物が挙げられる。
【０１１６】
仕上げポリマーは、天然又は合成とすることができ、被膜を形成することにより、及び／又は接着性を提供し、仕上げポリマーを布地に接着させることにより、作用することができる。例としては、本発明の組成物は、任意選択的に被膜形成ポリマー及び／又は接着性ポリマーを使用し、布地、特に衣服に形状保持を付与することができる。「接着」とは、ポリマーを溶液又は分散体として繊維表面に塗布し乾燥した場合、ポリマーがその表面に付着することができることを意味する。ポリマーは面に被膜を形成することができ、又は２つの繊維の間に存在し、２つの繊維と接触する場合は、２つの繊維を共に結合することができる。
【０１１７】
市販されている仕上げポリマーの非限定例は、ＧＡＦケミカルズ社（GAF Chemicals Corporation）から入手可能な、分子量約１００，０００のコポリマー９５８（登録商標）、及び分子量約１，０００，０００のコポリマー９３７のようなポリビニルピロリドン／ジメチルアミノエチルメタクリレートコポリマー；サンドス・ケミカルズ社（Sandoz Chemicals Corporation）から入手可能なカータレチン（Cartaretin）Ｆ−４（登録商標）及びＦ−２３のようなアジピン酸／ジメチルアミノヒドロキシプロピルジエチレントリアミンコポリマー；三菱化学株式会社（Mitsubishi Chemicals Corporation）から入手可能なジアフォーマー（Diaformer）Ｚ−ＳＭ（登録商標）のようなメタクリロイルエチルベタイン／メタクリレートコポリマー；エア・プロダクツ・アンド・ケミカルズ（Air Products and Chemical）から入手可能なビネックス（Vinex）２０１９（登録商標）、又はクラリアント（Clariant）から入手可能なモウエオール（Moweol）（登録商標）のようなポリビニルアルコールコポリマー樹脂；ハーキュレス社（Hercules Incorporated）から入手可能なデルセット（Delsette）１０１（登録商標）のようなアジピン酸／エポキシプロピルジエチレントリアミンコポリマー；サイテック・インダストリーズ（Cytec Industries）から入手可能なシプロ（Cypro）５１５（登録商標）のようなポリアミン樹脂；ハーキュレス社（Hercules Incorporated）から入手可能なキメン（Kymene）５５７Ｈ（登録商標）のようなポリ四級アミン樹脂；及びＢＡＳＦから入手可能なソカラン（Sokalan）ＥＧ３１０（登録商標）のようなポリビニルピロリドン／アクリル酸である。
【０１１８】
洗浄補助剤は、また、静電気防止剤であってもよい。慣用的な洗濯及びドライクリーニングで使用されるいかなる好適な周知の静電気防止剤も、本発明の組成物及び方法に用いるのに好適である。静電気防止剤として特に好適なものは、静電気防止効果をもたらすことが知られている布地柔軟剤の一部である。例えば、Ｎ，Ｎ−ジ（タロ−オキシ−エチル）−Ｎ，Ｎ−ジメチルアンモニウムメチルサルフェートのような、ヨウ素価が２０を超える脂肪族アシル基を有する布地柔軟剤である。しかし、当然のことながら、静電気防止剤という用語は、この一部の布地柔軟剤だけに限らず、全ての静電気防止剤を含むものである。
【０１１９】
本発明の組成物において有用な、好ましい防虫及び防蛾洗浄補助剤は、シトロネロール、シトロネラール、シトラール、リナロール、スギ抽出物、ゼラニウム油、白檀油、２−（ジエチルフェノキシ）エタノール、１−ドデセンなどの香料成分である。本発明の組成物において有用な防虫及び／又は防蛾剤の他の例は、米国特許番号第４，４４９，９８７号、第４，６９３，８９０号、第４，６９６，６７６号、第４，９３３，３７１号、第５，０３０，６６０号、第５，１９６，２００号、及び「多様な昆虫種に対する風味及び芳香分子の信号作用（Semio Activity of Flavor and Fragrance Molecules on Various Insect Species）」Ｂ．Ｄ．ムックハージー（B.D. Mookherjee）ら、植物からの生物活性揮発性化合物（Bioactive Volatile Compounds from Plants）において公開、ＡＳＣシンポジウムシリーズ５２５、Ｒ．テラニシ、Ｒ．Ｇ．バタリー（R.G. Buttery）、及びＨ．スギサワ、１９９３年、３５〜４８頁に開示されており、前記特許及び前記出版物の全ては参考として本明細書に組み込まれる。
【０１２０】
（布地物品処理組成物の実施例）
以下は、本発明の布地物品処理組成物の非限定的な実施例である。
【表１】
2004535493.tif 000012
【０１２１】
（消費可能な洗剤組成物の実施例）
以下は、本発明の消費可能な洗剤組成物の非限定的な実施例である。
【表２】
2004535493.tif 000013
【０１２２】
処理された布地物品
本発明の方法に従って処理された布地物品も、本発明の範囲内である。好ましくは、そのような処理された布地物品は、表面エネルギー改質効果を有するが静電気防止効果を有さない少なくとも一種の化合物（例えば、オルガノシリコーン）の分析的に検出可能な量、又は表面エネルギー改質効果及び／若しくは感触改質効果及び／若しくは快適さ改質効果及び／若しくは美的効果を有する少なくとも一種の化合物並びに前記少なくとも一種の化合物以外の少なくとも一種の静電気防止剤の分析的に検出可能な量を含む。
【国際公開パンフレット】
2004535493.tif 000014
2004535493.tif 000015
2004535493.tif 000016
2004535493.tif 000017
2004535493.tif 000018
2004535493.tif 000019
2004535493.tif 000020
2004535493.tif 000021
2004535493.tif 000022
2004535493.tif 000023
2004535493.tif 000024
2004535493.tif 000025
2004535493.tif 000026
2004535493.tif 000027
2004535493.tif 000028
2004535493.tif 000029
2004535493.tif 000030
2004535493.tif 000031
2004535493.tif 000032
2004535493.tif 000033
2004535493.tif 000034
2004535493.tif 000035
2004535493.tif 000036
2004535493.tif 000037
2004535493.tif 000038
2004535493.tif 000039
2004535493.tif 000040
2004535493.tif 000041
2004535493.tif 000042
2004535493.tif 000043
2004535493.tif 000044
2004535493.tif 000045
2004535493.tif 000046
2004535493.tif 000047
2004535493.tif 000048
2004535493.tif 000049
2004535493.tif 000050
【国際調査報告】
2004535493.tif 000051
2004535493.tif 000052
2004535493.tif 000053
2004535493.tif 000054
2004535493.tif 000055
2004535493.tif 000056